(57)【要約】【課題】  化粧用コットンまたは化粧用パッティング材においては、容器に入った化粧水または乳液が必要であったが、これらがなくても水などの水溶液があれば簡単に化粧ができるようにすること。【解決手段】  本発明は、化粧用コットンにおいては、化粧水や乳液を浸して肌にのせるために使用される所要広さと厚みに形成した化粧用コットンであって、該コットン中に湿潤剤の主成分であるコラーゲン成分を５〜３０％の範囲で含ませた構成の化粧用コットンにしたことにより、化粧水や乳液のみならず、水道水や飲料水等の水溶液があれば、それを含浸させることでコラーゲン成分（湿潤剤）が水溶液に溶け、パッティングによって肌にのせることができ、肌にコラーゲン成分の皮膜を形成して適度の潤いを与えることができ、簡単な化粧ができる。【選択図】図１
2009045396.tif 000002
【特許請求の範囲】
【請求項１】
化粧水や乳液を浸して肌にのせるために使用される所要広さと厚みに形成した化粧用コットンであって、
該コットン中に保湿剤の主成分として固形状態のコラーゲン成分を５〜３０％の範囲で含ませたこと
を特徴とする化粧用コットン。
【請求項２】
固形状態のコラーゲン成分は、
綿状、シート状、不織布状、ガーゼ状または粉末状にしたもの若しくは、これらに含ませて乾燥したもののいずれかであること
を特徴とする請求項１に記載の化粧用コットン。
【請求項３】
保湿剤の副成分として、ヒアルロン酸、アルギン酸ナトリウム、アミノ酸、尿素、ムコ多糖類またはエラスチンの一種または二種以上を含ませること
を特徴とする請求項１に記載の化粧用コットン。
【請求項４】
保湿剤の主成分および副成分は少なくとも３０％が水溶液で溶けること
を特徴とする請求項１乃至３のいずれかに記載の化粧用コットン。
【発明の詳細な説明】
【技術分野】
【０００１】
本発明は、美容のために、化粧水または乳液などの液体を含浸させて肌にのせるために使用される化粧用コットンまたはパッティング材に関するものである。
【背景技術】
【０００２】
この種の化粧用コットンまたはパッティング材としては、種々の構成のものが公知または周知になっている。第１の公知例として、例えば、リムーバー液を含浸させてネールエナメル等の皮膜に当接させ、この皮膜と、皮膜中に含まれた光沢用ラメとを同時に除去する化粧用コットンであって、前記リムーバー液の浸透を防ぐとともに、リムーバー液に含有された揮発性溶剤の揮散を防ぐための無孔のバックシートと、このバックシートの表面に積層し、リムーバー液を保持するための中綿と、この中綿の表面に積層し、ネールエナメルの皮膜を拭き取るとともに光沢用ラメを除去するための複数の孔を有する表面材とからなるものが公知になっている（特許文献１）。
【０００３】
この化粧用コットンは、表面材に複数の孔を形成する構成としたので、爪に塗布した皮膜中のラメを、表面材の複数の孔で掻き取ることができ、さらに掻き取られたラメを表面材の孔から表面材の内部に取り込む効果が期待でき、したがって、エナメル皮膜と同時にラメを爪から容易に除去するすることができること、また、この化粧用コットンには、リムーバー液中の揮発性溶剤の揮散を防ぐ無孔のバックシートを設けたので、リムーバー液のエナメル除去特性を比較的長い時間保つことができ、爪に付着しているラメを容易に除去できるというものである。
【０００４】
第２の公知例として、吸水性を有し、且つ、顔面の部分的パックに適する厚さ及びサイズに形成された化粧用パック剤であって、該パック剤は複数枚が積層されて化粧用パッティング材を構成し、且つ、該化粧用パッティング材は側縁部近傍を圧着手段によって剥離可能に接合されて成り、該パッティング材に化粧水を浸潤させてパッティングし、該パッティング動作終了後、該パッティング材から前記パック材を一枚毎剥離し、該剥離したパック材を顔面の必要箇所に所定時間装着させてパックできるように構成されたものである化粧用パッティング材が公知になっている（特許文献２）。
【０００５】
この化粧用パッティング材は、吸水性を有するシートタイプの化粧用パック材を複数枚（例えば４枚）重ねてパッティング材を構成し、且つ、その側縁部近傍を圧着手段にて各パック材相互が接合されているので、パッティング材として使用する際には該パッティング材に化粧水を含浸させて顔面をパッティングすることができる。この際、前記接合部から各パック材が任意に剥離することがないので、前記パッティング操作が円滑に行われること、又、前記パッティング操作が終了した後に於いては、該パッティング材に残存している化粧水を用い、該パッティング材から各パック材を一枚毎剥離して顔面の部分的必要箇所に装着する。而して、該パック材は顔面の部分的パックに適するサイズ及び厚みを有しているので顔面の部分的必要箇所のパックを効率よく実行することが可能となり、極めて経済的であるというものである。
【０００６】
第３の公知例として、繊維目（ＦＥ）方向に位置する縦（Ｙ）と、繊維目に対して垂直方向に位置する横（Ｘ）と、厚さ（Ｔ）が各所定寸法を有し、且つ、表面中心部に溜溝を設け、且つ、縦（Ｙ）方向中間部の横（Ｘ）方向左右両側に乳液垂れ防止部を有する乳液馴染ませ用折り曲げ溝を設けたコットンから成り、且つ、コットン使用時は適量の乳液を溜溝部に充満させ、且つ、折り曲げ溝部から折り曲げて全体を均等に馴染み易くした乳液使用目安量溜溝付化粧用コットンが公知になっている（特許文献３）。
【０００７】
この溜溝付化粧用コットンは、溜溝部を有することで、最適な乳液使用量を最適な位置に浸透させ、且つ、乳液がコットンに上手く全体に均等に馴染む為、最適条件で安定した上手な化粧が可能となるというものである。
【０００８】
【特許文献１】特開２００２−２６２９３１号公報
【特許文献２】特開２００５−３４９１４３号公報
【特許文献３】実用新案登録第３１１９９３６号公報
【発明の開示】
【発明が解決しようとする課題】
【０００９】
ところで、前記特許文献１に記載の化粧用コットンは、バックシートと中綿と表面材との３層構造を有し、リムーバー液を含浸させてネールエナメルを拭き取るために使用するものであるが、特に、表面材はネールエナメルの光沢用ラメを掻き取るための複数の孔を有する構成であるため、ある程度の硬さが必要であることから、その硬さで顔面などのデリケートな皮膚を擦るようにすると、化粧とは逆行し悪影響を及ぼすものであって、皮膚を潤すために乳液などの化粧品を載せるためには不適切なものである。
【００１０】
また、前記特許文献２に記載の化粧用パッティング材は、吸水性を有するシートタイプの化粧用パック材を複数枚重ね、その側縁部近傍を圧着接合して構成したものであり、乳液などの化粧水を浸潤させて顔面をパッティングし、その後にパッティング材を一枚ずつ剥がしてパック材として使用するというものであるが、出先または旅行時には使用する化粧水を常に持参しなければならない厄介さがある。
【００１１】
さらに、前記特許文献３に記載の化粧用コットンは、表面中心部に溜溝を設け、該溜溝の左右両側に乳液垂れ防止部を有する乳液馴染ませ用折り曲げ溝を設けたものであり、溜溝部に乳液を充満させて折り曲げ溝を折り曲げて乳液を均等に馴染ませるというものであるが、この場合も、前記特許文献２と同様に、出先または旅行時には使用する化粧水を常に持参しなければならない厄介さがある。
【００１２】
従って、前記公知技術に係る化粧用コットンまたは化粧用パッティング材においては、多数枚を携帯することについては全く支障を来さないが、それに含浸させて使用する予定した化粧水またはリムーバー液は、所要の容器に収納されているため嵩張るし、重量があることから携帯に不便であるが、化粧水を携帯しなければ化粧用コットンは実質的に使用できないものとなるのである。従って、仮に化粧水を携帯しなくても水道水または飲料水のあるところでこの種の化粧用コットンが使用でき、しかも、水があれば肌に潤いをあたえる化粧ができるようになれば極めて好都合であり、そのような化粧用コットンにすることに解決課題を有している。
【課題を解決するための手段】
【００１３】
本発明に係る化粧用コットンは、化粧水や乳液を浸して肌にのせるために使用される所要広さと厚みに形成した化粧用コットンであって、該コットン中に保湿剤の主成分として固形状態のコラーゲン成分を５〜３０％の範囲で含ませた構成にしたことを特徴とするものである。
【００１４】
前記化粧用コットンに係る発明においては、コラーゲン成分は、綿状、シート状、不織布状、ガーゼ状または粉末状にしたもの若しくは、これらに含ませて乾燥したもののいずれかであること；保湿剤の副成分として、ヒアルロン酸、アルギン酸ナトリウム、アミノ酸、尿素、ムコ多糖類またはエラスチンの一種または二種以上を含ませること；保湿剤の主成分および副成分は少なくとも３０％が水溶液で溶けること；を付加的な要件として含むものである。
【発明の効果】
【００１５】
本発明に係る化粧用コットンにおいては、化粧水や乳液を浸して肌にのせるために使用される所要広さと厚みに形成した化粧用コットンであって、該コットン中に保湿剤の主成分として固形状態のコラーゲン成分を５〜３０％の範囲で含ませたことにより、化粧水や乳液のみならず、これらに代えて水道水や飲料水等の水溶液を滴下して使用すれば、コラーゲン成分が水溶液に溶け、パッティングによって肌にのせることができ、肌にコラーゲン成分の皮膜を形成して適度の潤いを与えることができるという優れた効果を奏する。
【００１６】
また、本発明に係る化粧用コットンは、携帯に便利であり化粧水や乳液などの入った比較的重い容器を持ち歩かなくても、その化粧用コットンを常に携帯すればよいのであり、出先で水道水や飲料水などの水溶液があれば、簡易に化粧をすることができるという優れた効果を奏する。
【発明を実施するための最良の形態】
【００１７】
次に、本発明を図示の具体的な実施の形態に基づいて詳しく説明する。図１と図２は、第１の実施の形態に係る化粧用コットンであり、図３は、第２の実施の形態に係る化粧用コットンである。
【００１８】
まず、第１の実施の形態に係る化粧用コットン１は、図１および図２に示したように、所要厚みに積層した綿材を矩形状に形成したものであり、その内部の略中央部に保湿剤の主成分としてコラーゲンを綿状またはシート状に形成した固形状態のコラーゲン成分２を配設し、長辺の両サイド近傍を長さ方向に沿って圧着手段により圧着凹部３を形成することによって安定した状態に維持させたものである。
【００１９】
化粧用コットン１を構成する綿材の積層に関しては、例えば、２枚のコットンシート材４、５を上下に重ね、その間に保湿剤の主成分であるコラーゲン成分２を挟んで全体を矩形状にカットし、両側縁近傍で圧着して分離しないように維持させるようにしたものである。
【００２０】
この場合に、矩形状にカットした綿材、即ち、化粧用コットン１の大きさは、例えば、縦・横・厚さが７０ｍｍ×５０ｍｍ×３ｍｍ程度であって、これらの各寸法は、使用態様または目的に合わせて１０〜２０％の範囲でそれぞれ増減できるものである。
【００２１】
また、保湿剤の主成分であるコラーゲン成分２というのは、植物性または動物性のコラーゲンであって、ゼラチン、コラーゲンペプチド、ナノコラーゲンなどが含まれるものであり、これらのコラーゲン成分を特殊な加工方法によって綿状、シート状または粉末状に形成したもの、または、コラーゲンを主成分とし綿状材にまたはガーゼのようなシート状材料に含浸させて乾燥させた固形状態のもの等であって、簡単に水溶液に溶ける、所謂水溶性のコラーゲン成分なのであり、綿状材、シート状または粉末状にした固形状態の保湿剤を適宜の量または大きさに切断したものを化粧用コットン１の内部に配設して含ませるものである。
【００２２】
この場合に、化粧用コットン１の中に配設して含ませるコラーゲン成分２の占める割合は５〜３０％の範囲であり、この範囲の中で使用材料および使用目的に合わせて適宜増減できるが、５％より少ないと肌を潤す効果が少なく、また、３０％を越えるとコラーゲンが過剰になって無駄が多くなる。従って、実用的には１５±５％の範囲が好ましい範囲である。また、その他に、保湿剤の副成分として、例えば、ヒアルロン酸、アルギン酸ナトリウム、アミノ酸、尿素、ムコ多糖類またはエラスチンなどの一種または二種以上の成分を所要量含ませて使用することができる。
【００２３】
この保湿剤の副成分も主成分と同様に、水溶性であるが綿状、シート状または粉末状の固形状態に形成し、主成分であるコラーゲン成分２に対して１０〜５０％の割合で配合して使用することができる。この場合に、好ましくは、コラーゲン成分の配合量が５％の場合にそれに対して５０％を配合し、３０％の場合にはそれに対して１０％を配合する方が適切である。そうすると、化粧用コットン１に対する保湿剤の配設割合が、７．５〜３３％になるのである。なお、このような割合に限定されないことはいうまでもない。
【００２４】
特に、保湿剤の主成分であるコラーゲン成分２については、乾燥した状態に加工された綿状、シート状、不織布状またはガーゼ状の材料であって、コラーゲン成分２がコラーゲン１００％で生成されていなくても、所要量の水溶液を化粧用コットン１に滴下することで、そのコラーゲン成分２の少なくとも３０％が水溶液に溶ければ良いのであり、また、保湿剤の副成分においても少なくとも３０％が水溶液に溶ければ良いのであり、いずれにしても、水溶液を滴下した化粧用コットン１で顔面をパッティングすることで、溶けたコラーゲンまたはコラーゲンと副成分を薄く顔面に載せることができ、保湿剤の持つ保湿・湿潤性によって顔面に適度の潤いを与えることができるのである。
【００２５】
また、表面側に位置するコットンシート材４については、パッティングの際に毛羽立ったり抜けたりしないように、例えば、ウォータジェット製法によって表面が平滑化したものを使用することにより、保湿剤の粘性によって、短い綿繊維が抜けたり脱落して顔面に付着することがないのである。
【００２６】
さらに、圧着凹部３の形成については、図示の実施の形態では、上面と下面とに形成したが、内部に配設した主成分のコラーゲン成分２または副成分が脱落しないように、要するに、上下のコットンシート材４、５が簡単に分離しない程度に定着していれば良いのであるから、少なくとも上面側または下面側の一つの面側に形成すれば良いのである。そのように、一方の面に圧着凹部３を形成することによって、表面側と裏面側とを識別できる利点もある。
【００２７】
次に、第２の実施の形態に係る化粧用コットン１０について、図３を用いて説明する。この化粧用コットン１０は、図示したように、前記第１の実施の形態に係る表面側のコットンシート材４をガーゼ部材１２に代えただけであって、他の構成部分は第１の実施の形態と実質的に同一の構成である。
【００２８】
即ち、化粧用コットン１０の内部には、保湿剤の主成分であるコラーゲン成分２またはコラーゲン成分２と副成分とを配設または含ませること、ガーゼ部材１２と下面のコットンシート材５とを加圧手段により圧着し圧着凹部３の部分で定着させることについては略同一の構成であり、湿潤剤に係る機能的な構成においても実質的に同一であるので、これらについては説明が重複するので省略する。
【００２９】
本発明に係る化粧用コットン１、１０の使用について、代表して第１の実施の形態に係る化粧用コットン１について説明すると、上面（表面）側の略中央部に、例えば、化粧水や乳液または水道水などの水溶液を所要量滴下させ、通常使用しているように、中指と薬指を化粧用コットン１の下面（裏面）側にあてがい、人差し指と小指とで挟んで顔面を万遍なくパッティングする。
【００３０】
水溶液を滴下すると、内部に配設または含まれている湿潤剤の主成分であるコラーゲン成分２またはヒアルロン酸等の副成分が直ちに溶けて水溶液の中に含まれることになり、パッティング動作よって顔面に化粧水などの水溶液と一緒にコラーゲン等の湿潤剤が顔面に乗せられ、コラーゲンやヒアルロン酸等の特有の湿潤性によって、全面的な潤いが付与されるのである。なお、パッティング動作よって水分がなくなった時には、さらに数滴の水溶液を滴下すると内部に含まれる主成分や副成分が水溶液に薄められて使用できるのである。なお、第２の実施の形態に係る化粧用コットン１０のガーゼ部材１２は、表面を表示すると共に、パッティング動作時に毛羽立ちを防ぐ役割も果たすのである。
【産業上の利用可能性】
【００３１】
いずれにしても本発明に係る化粧用コットンは、その内部に水溶性の湿潤剤としてコラーゲン成分やヒアルロン酸等を固形状態で配設または含ませたものであり、多数枚でも軽量で携帯が便利であることから、外出または旅行の際に携帯すれば、例えば、化粧水や乳液がなくても出先で水道水や飲料水（ペットボトル）等があれば、それを滴下して簡単に使用することができるのであり、しかも、皮膚に対して適度の潤いを与えるので、化粧品として広い範囲で有用に利用することができるのである。
【図面の簡単な説明】
【００３２】
【図１】本発明に係る第１の実施の形態に係る化粧用コットンを示す斜視図である。
【図２】図１のＡ−Ａ線に沿う拡大断面図である。
【図３】本発明に係る第２の実施の形態に係る化粧用コットンを示す斜視図である。
【符号の説明】
【００３３】
１、１０  化粧用コットン
２  湿潤剤の主成分であるコラーゲン成分
３  圧着凹部
４  上部のコットンシート材
５  下部のコットンシート材
１２  ガーゼ部材
【図１】
2009045396.tif 000003
【図２】
2009045396.tif 000004
【図３】
2009045396.tif 000005